(57)【要約】【課題】従来の円座や角座等の床ずれ（褥瘡）防止具は、それを病人等のお尻下へ入れたり出したりする時には、身体を持上げたり横にずらせたりする必要があった。この為、介護には２人掛りで、それでもつらい仕事であった。【解決手段】従来の円座や角座等を中央部分で二分割した形状にする事により解決した。二分割形状とした結果、病人を持上げたり横にずらせたりする必要がなくなった。まず、病人を右肩を下にした横向きの状態（お尻部分も）にする。そうすると、左側のお尻部分がベッド面から離れるので、そこに円座左部５Ａを敷き、病人を仰向けの状態に戻すと防止具の半分は敷かれた状態となる。同様に円座右部５Ｂを敷く。身体を横向きにし半分づつ敷くので介護は一人でも出来、しかも大変楽に行うことが出来る。病人の方も持ち上げられたりしなくて済み喜んでいる。【選択図】        図１
2004298582.tif 000002
【特許請求の範囲】
【請求項１】
円座、角座、或いはこれらの組合せ形状の床ずれ防止具において、該防止具が中央部分で二分割された形状とした事を特徴とする床ずれ防止具。
【発明の詳細な説明】
【０００１】
【発明の属する技術分野】
本発明は、長期療養や寝たきりの人などのお尻部分に発症する床ずれ（褥瘡）の防止具に関するもので、特にお尻部分の下への挿入やそこからの取り出しが容易な様に改良した円座や角座形状の床ずれ防止具に関するものである。
【０００２】
【従来の技術】
ひとりで容易に寝返りなど出来ない病人や老人などの人達にとって、床ずれは大変苦しいものである。そのため、従来から円座や角座等が床ずれ防止用として汎用されていて、その使用の際の通気性や敷き心地等の改良はいろいろ行われており、例えば、▲１▼実開昭６２−４２８２３、▲２▼実開平１−１５５４３０、▲３▼実開平７−４２３１２、▲４▼実用新案登録第３０７５５７８号等がある。これらはすべて防止具をお尻の下に敷いた後の使い心地、敷き心地を改良しようとするものである。
【０００３】
しかし、ひとりでは寝返りなど困難な或いは出来ない病人や老人を介護してみれば分かる事であるが、その人達の身体の下へ防止具を入れたり或いは身体の下から取り出したりする事が、実は大変厄介なことである。円座や角座等でこれが容易に出来る様に工夫されたものは、現在上記の▲１▼〜▲４▼も含め見当たらない。
【０００４】
【発明が解決しようとする課題】
上述の通り、床ずれ防止には状来から円座や角座等が汎用されていて、それをお尻の下に敷いた後の通気性や敷き心地等の改良は種々行われてきている。しかし、ひとりでは寝返りやお尻の持上げ、移動など困難な或いは出来ない病人や老人の場合、その防止具をお尻の下へ敷き込んだり、或いはそこから取り出したりする事が大変な事である。
【０００５】
通常、現在汎用されている円座や角座等の場合では、介護する人が２人がかりで病人や老人の身体を動かしその下に敷き込んだり、或いは取り出したりしている。２人がかりでも重労働であり腰痛などが起こり、介護する人にとっても大変な負担となっている。
そこで、本発明では、介護人が１人であっても出し入れが出来る円座類を提供し、上記課題を解決する事を目的としたものである。
【０００６】
【課題を解決するための手段】
本発明は上記課題を、従来の円座、角座、或いはこれらの組合せ形状の床ずれ防止具において、その防止具が中央部分で二分割された形状にした事により解決した。
【０００７】
一般に円座や角座をお尻の下に敷いたり、そこから取り出したりする時は、介護する人は２人がかりであり、それでも大変負担の重い労働である。それは、お尻の下に円座や角座を挿入する為の空間を、病人や老人の身体を持上げるか横にずらすかして作る必要があるからである。そこで種々検討の結果、身体を持上げたり横にずらせたりする必要がなく、しかも１人の介護人で敷き込んだり取り出したり出来る円座や角座等の防止具の開発に成功した。
【０００８】
即ち、防止具を分割し、その分割された各部分を順次敷き込んだり取出したりする方法に着眼し検討の結果、分割しておけば病人や老人の身体を持上げたりずらせたりしなくとも、その寝たままの位置で横向きの半身の状態にするだけで敷き込んだり取り出したり出来る事が分かった。病人の身体を押し廻す様にして横向きに四分の１だけ起こすだけなので、１人の介護人で出来、しかも介護の際の負担が大変軽くなる事も分かった。なお、分割数は、敷き込みや取り出しの手間、使用時の使い勝手面等から検討の結果、二分割が最も適していた。
以下、本発明を実施例にもとづきさらに説明する。
【０００９】
【実施例１】
本実施例は、一般に汎用されている市販円座８をカットし二分割した形状の円座状防止具１に関するもので、図１〜２にその平面図を、図３に市販円座８の斜視図を示す。
【００１０】
円座状防止具１は、図１〜２に示す様に、市販円座８を中央部分で二等分に分割した形状に形成したものであり、円座左部５Ａと円座右部５Ｂとは対象形となる様に形成した。円座左部５Ａと円座右部５Ｂとも、内部にはそば殼を充てんし外側を布で被覆したものである。したがって、そば殼が出て来ないように外側の布の四周は、カット部位４のカット端面３も含め、すべて縫い合わせておく。
【００１１】
本円座状防止具１の使用法は次の通りである。即ち、先ず病人を仰向けの状態から右肩を下にした横向きの状態にする。この時お尻部分も横向きの状態になる様に一緒に廻す。そうすると、左側のお尻部分はベッド面（床面）から離れ、その左側お尻部分があったベッド面（床面）にはスペースが出来るので、そこに円座左部５Ａを敷く。敷いたら、病人を仰向けの状態に戻す。その時、円座左部５Ａの上にお尻の左側部分が乗るように戻す。これで、円座状防止具１の左半分の円座左部５Ａの敷き込み終了である。
【００１２】
残りの円座右部５Ｂの敷き込みも、今度は左肩を下にした横向きの状態にして同じ要領で行う。このようにして、円座左部５Ａと円座右部５Ｂとを敷き込めば、円座状防止具１のお尻下への敷き込みは終了である。図２は、その敷き込み後のお尻下での円座状防止具１の使用状態の平面図を示すものである。円座左部５Ａと円座右部５Ｂのカット端面３同士をつき合わせるように敷き込む。
【００１３】
このように円座を二分割した形状にしておけば、病人を横向きの状態にするだけでお尻の下へ床ずれ防止具を敷き込む事が出来る。この横向きの状態にするには、病人の身体が四分の１だけ回転するように横から押しまわしするだけで済むので、介護人は１人でも通常十分行うことが出来る。
【００１４】
防止具を外す時も、円座状防止具１であれば敷き込む時と同じ要領で行うことが出来る。例えば、病人の右肩が下向きになった横向き状態にし先ず円座左部５Ａを外し、ついで反対向きに横向きにし円座右部５Ｂを外す。即ち、病人の身体を四分の１程度廻す様にし横向きにすれば半分づつ順番に取り出す事が出来、介護人は１人であっても十分行うことが出来る。ただし、市販円座８であれば、敷き込みの時と同様病人の身体を持上げるか横へずらすかして取り出す必要があり、介護人は２人必要となる。
【００１５】
以上の様に１人の介護人で負担も少なくやれるのは、床ずれ防止具が中央部分で二分割された形状となっている効果である。なお、敷きこんだ後の使用時の通気性や敷き心地等は従来の円座と大差なかった。
【００１６】
本実施例では、そば殼を内部に充てんした布被覆の円座状防止具１を使用したが、充てん物としてはそば殼の他、例えば高分子類のビーズ、ペレット、発泡材とか炭や木等の粉粒やチップ類或いは空気、また、被覆物としては布類の他、フィルムやゴム等、一般の円座や角座に使用可能なものであれば特に支障ない。
【００１７】
また、防止具の分割は、出し入れ時の手間や使い勝手面から判断し、二つの部分に分かれる様に二分割し、且つその分割した右と左の部分がほぼ左右対称形となるように中央部分で分割された形状である事が好ましい。防止具の形状としては、本実施例では円状のものを使用したが、円や楕円等の円形状の他にも四角や八角等の多角形状、或いはこれらの組合せ形状等であってもよい。中抜き部７の形状には特に制限ないが、お尻の部分を守る為であるので円形状が好ましい。
【００１８】
【実施例２】
本実施例では、実施例１の円座状と異なり、四角形状の角座を二分割した形状の角座状防止具２を使用した。図４にその角座状防止具２の平面図を示す。本実施例の角座状防止具２も、実施例１と同様に左右２つの部分、即ち角座左部６Ａと角座右部６Ｂとから成り、円状と角状の形状の違いを除けば、使用法や特徴等は実施例１と同様である。
【００１９】
【実施例３】
本実施例が実施例２と異なる点は、カット部位４の位置が違っていることであり、図５にその平面図を示す。
【００２０】
実施例２では、図４に示す様に、カット部位４は四角形の相対する辺の中点同士を結んだ位置とした。したがって、形成された角座左部６Ａと角座右部６Ｂとは長方形状である。しかし、本実施例の場合、カット部位４は四角形の相対する頂点を結んだ位置とした。その結果、形成された角座左部６Ａと角座右部６Ｂとは左右対称形の三角形状となった。この様にカット部位４を違えて分割する事も出来る。なお、使用法や特徴等は実施例２と同様である。
【００２１】
【発明の効果】
従来の円座や角座等の床ずれ（褥瘡）防止具は、それを病人等のお尻部分の下へ敷き込んだりそこから取り出したりする時は、病人等の身体を持上げたり横にずらせたりする必要があった。しかし、本発明は二分割された形状であるので、身体を持上げたり横にずらせたりの必要はなく、単に横向きの状態にするだけで敷いたり外したりが出来るようになった。
【００２２】
この結果、今まで介護人が２人掛りであったのが１人で出来る様になると共に、腰痛発生等の心配も解消され介護する人の負担も大幅に軽減された。また、病人にとっても都度持上げられたり移動させられたりするのは決して気持ち良いものではなかったので、横向きになるだけで済むという事は大変好ましい事として喜ばれるようになった。
【００２３】
この様に、介護する側にとっては人件費の削減と労働内容の改善、介護される側にとっては介護方法が改善され快適となったという大きな効果が得られた。
【図面の簡単な説明】
【図１】本発明の円座状床ずれ防止具の平面図
【図２】本発明の円座状床ずれ防止具の使用状態の平面図
【図３】市販円座の斜視図
【図４】本発明の角座状床ずれ防止具の平面図
【図５】カット部位を異にする本発明の角座状床ずれ防止具の平面図
【符号の説明】
１、円座状防止具
２、角座状防止具
３、カット端面
４、カット部位
５Ａ、円座左部
５Ｂ、円座右部
６Ａ、角座左部
６Ｂ、角座右部
７、中抜き部
８、市販円座
【図１】
2004298582.tif 000003
【図２】
2004298582.tif 000004
【図３】
2004298582.tif 000005
【図４】
2004298582.tif 000006
【図５】
2004298582.tif 000007